(57)【要約】【課題】開弁動作のタイミングを変更できるディスク式スチームトラップを提供する。【解決手段】上部外周に雄ねじを形成した本体１に、下部内周に円筒面を形成し円筒面の上方に雌ねじを形成した蓋部材２をねじ結合して内部に変圧室３を形成する。本体１の雄ねじの下方の円柱外周面に環状の溝を形成し、その環状の溝にシール部材としてのＯリング１２を配置して蓋部材２との気密を保つ。蓋部材２の本体１へのねじ込み量を調節することにより変圧室３の容積を変更する。ねじ込み量を多くすれば変圧室３の容積が小さくなり、ねじ込み量を少なくすれば変圧室３の容積が大きくなる。蓋部材２の下端に指標１３を、本体１の外周面に閉弁から開弁までの秒数を表示する目盛１４を施す。【選択図】　　　　　　図１
2004052782.tif 000002
【特許請求の範囲】
【請求項１】
入口と出口を形成した本体に蓋部材を取り付けて内部に入口と出口が開口する変圧室を形成し、入口及び出口の変圧室側開口端に同一平面の内外輪弁座からなる弁座面を形成し、内輪弁座面に入口と変圧室を連通する流入孔を形成し、内外輪弁座面の間に環状溝を形成して、該環状溝内に変圧室と出口を連通する流出孔を形成し、内外輪弁座の弁座面に離着座する円板状の弁ディスクを変圧室に配置したものにおいて、本体に蓋部材を気密的にねじ調節可能に取り付けて変圧室の容積を変更できるようにしたことを特徴とするディスク式スチームトラップ。
【発明の詳細な説明】
【０００１】
【発明の属する技術分野】
本発明は、変圧室すなわち熱力学的蒸気室の圧力変化に応じて弁ディスクが開閉することにより、蒸気配管系に発生する復水を自動的に排出するディスク式スチームトラップに関し、特に、開弁のタイミングを変更できるようにしたものに関する。
【０００２】
【従来の技術】
従来のディスク式スチームトラップは、入口と出口を形成した本体に蓋部材を取り付けて内部に入口と出口が開口する変圧室を形成し、入口及び出口の変圧室側開口端に同一平面の内外輪弁座からなる弁座面を形成し、内輪弁座面に入口と変圧室を連通する流入孔を形成し、内外輪弁座面の間に環状溝を形成して、該環状溝内に変圧室と出口を連通する流出孔を形成し、内外輪弁座の弁座面に離着座する円板状の弁ディスクを変圧室に配置したものであり、変圧室の圧力変化によって弁ディスクを自力的に制御して弁座面に離着座させることにより、復水を自動的に排出するものである。
【０００３】
【発明が解決しようとする課題】
ディスク式スチームトラップは、変圧室の圧力が周囲壁からの放熱による蒸気の凝縮によって低下すると弁ディスクが開弁するのであるが、上流側の蒸気使用機器等での復水発生量が多い場合には、開弁が遅れて上流側に多量の復水を滞留してしまい、逆に復水発生量が少ない場合には、開弁が早くて上流側に復水が滞留していないにもかかわらず開弁してしまう問題があった。
【０００４】
従って、本発明の技術的課題は、開弁のタイミングを変更できるディスク式スチームトラップを提供することである。
【０００５】
【課題を解決するための手段】
上記の技術的課題を解決するために講じた本発明の技術的手段は、入口と出口を形成した本体に蓋部材を取り付けて内部に入口と出口が開口する変圧室を形成し、入口及び出口の変圧室側開口端に同一平面の内外輪弁座からなる弁座面を形成し、内輪弁座面に入口と変圧室を連通する流入孔を形成し、内外輪弁座面の間に環状溝を形成して、該環状溝内に変圧室と出口を連通する流出孔を形成し、内外輪弁座の弁座面に離着座する円板状の弁ディスクを変圧室に配置したものにおいて、本体に蓋部材を気密的にねじ調節可能に取り付けて変圧室の容積を変更できるようにしたことを特徴とするディスク式スチームトラップにある。
【０００６】
【発明の実態の形態】
本発明は、本体に蓋部材を気密的にねじ調節可能に取り付けて変圧室の容積を変更できるようにしたものである。変圧室の圧力低下は容積が小さいと早く、容積が大きいと遅いので、復水発生量が多い場合には変圧室の容積を小さくすることにより、圧力低下を早くして開弁のタイミングを早くし、復水発生量が少ない場合には変圧室の容積を大きくすることにより、圧力低下を遅くして開弁のタイミングを遅くする。これにより、開弁遅れや早期開弁を防止できる。
【０００７】
【実施例】
上記の技術的手段の具体例を示す実施例を説明する（図１及び図２参照）。上部外周に雄ねじを形成した本体１に、下部内周に円筒面を形成し円筒面の上方に雌ねじを形成した蓋部材２をねじ結合して内部に変圧室３を形成する。本体１の雄ねじの下方の円柱外周面に環状の溝を形成し、その環状の溝にシール部材としてのＯリング１２を配置して蓋部材２との気密を保つ。蓋部材２の本体１へのねじ込み量を調節することにより変圧室３の容積を変更する。ねじ込み量を多くすれば変圧室３の容積が小さくなり、ねじ込み量を少なくすれば変圧室３の容積が大きくなる。蓋部材２の下端に指標１３を、本体１の外周面に閉弁から開弁までの秒数を表示する目盛１４を施す。
【０００８】
本体１には入口４と出口５をほぼ同一軸上に形成する。本体１に変圧室３の中心に開口する噴出孔６を開け、噴出孔６を介して入口４と変圧室３を連通する。噴出孔６の外周囲に環状溝８を設けて、噴出孔６と環状溝８の間に環状の内輪弁座９を形成し、環状溝８の外周囲に内輪弁座９と同心円状で同一平面の環状の外輪弁座１０を形成する。環状溝８の終端を排出孔７を介して出口５に連通する。内輪弁座９と外輪弁座１０からなる弁座面に離着座して開閉弁を行う円板状の弁ディスク１１を変圧室３内に自由状態で配置する。
【０００９】
次に作用を説明する。変圧室３に蒸気が滞留していない場合、噴出孔６を介して弁ディスク１１に作用する入口４側の流体圧力により、弁ディスク１１は内外輪弁座９，１０からなる弁座面から離座して復水を環状溝８と排出孔７を介して出口５へ排出する。復水が排出されて変圧室３に蒸気が流入してくると、変圧室３の圧力が上昇すると共に、弁ディスク１１下面を高速の蒸気が流下して静圧低下を来たすことによって、弁ディスク１１は内外輪弁座９，１０からなる弁座面に着座して閉弁する。変圧室３の圧力が周囲壁からの放熱による蒸気の凝縮によって低下すると、弁ディスク１１は内外輪弁座９，１０からなる弁座面から離座して復水を環状溝８と排出孔７を介して出口５へ排出する。以上のような開閉弁のサイクルを繰り返す。
【００１０】
復水発生量が多い場合には、蓋部材２の本体１へのねじ込み量を多くして変圧室３の容積を小さくし、変圧室３の圧力低下を早くして開弁のタイミングを早くする。逆に、復水発生量が少ない場合には、蓋部材２の本体１へのねじ込み量を少なくして変圧室３の容積を大きくし、変圧室３の圧力低下を遅くして開弁のタイミングを遅くする。そして、閉弁から開弁までの秒数を指標１３と目盛１４で確認する。
【００１１】
【発明の効果】
上記のように本発明によれば、変圧室の容積を変更して開弁のタイミング調節することにより、開弁遅れや早期開弁を防止できるという優れた効果を生じる。
【図面の簡単な説明】
【図１】本発明のディスク式スチームトラップの実施例の断面図である。
【図２】図１の右側面図である。
【符号の説明】
１　　本体
２　　蓋部材
３　　変圧室
４　　入口
５　　出口
６　　噴出孔
７　　排出孔
８　　環状溝
９　　内輪弁座
１０　　外輪弁座
１１　　弁ディスク
１２　　Ｏリング
１３　　指標
１４　　目盛
【図１】
2004052782.tif 000003
【図２】
2004052782.tif 000004